(57)【特許請求の範囲】
【請求項１】
自動ドアのドアを移送するタイミングベルトの端末を接続固定するものであって、前記タイミングベルトの端末を挿脱可能に挿着する用具本体と，
一端側が前記用具本体に回動可能に取り付けられ、他端側を装着することにより前記タイミングベルトを無端状に形成して固定するタイミングベルト固定レバーと，
一端側が前記タイミングベルト固定レバーの上側で前記用具本体に回動可能に取り付けられ、他端側を前記タイミングベルト固定レバー側に押し下げることにより前記タイミングベルト固定レバーと係合し前記用具本体からの前記タイミングベルトの抜けを防止するタイミングベルト抜け防止レバーと，
を備えてなり、
前記タイミングベルト固定レバーを前記タイミングベルトを固定した状態において前記タイミングベルト抜け防止レバーを前記タイミングベルト固定レバーに装着して該タイミングベルト固定レバーに係合することにより、前記タイミングベルトが前記用具本体から離脱するのを防止し、
前記用具本体には、
前記タイミングベルト固定レバーの一端側を、該タイミングベルト固定レバーの他端側が前記タイミングベルトを固定する位置から該タイミングベルトの固定を解除する位置に向かって回動するように付勢する第１付勢部材と，
前記タイミングベルト抜け防止レバーの一端側を付勢し、該タイミングベルト抜け防止レバーの他端側が前記タイミングベルト固定レバーを押し下げるように回動させる第２付勢部材と，を設ける
ことを特徴とするタイミングベルト連結用具。
【請求項２】
請求項１に記載のタイミングベルト連結用具において、
前記タイミングベルト固定レバー又は前記タイミングベルト抜け防止レバーの何れか一方に、係合部を設け、
前記タイミングベルト抜け防止レバー又は前記タイミングベルト固定レバーの何れか他方に、前記係合部が係合可能に形成された被係合部を設ける
ことを特徴とするタイミングベルト連結用具。
【請求項３】
請求項１又は２に記載のタイミングベルト連結用具において、
前記タイミングベルト固定レバーと前記タイミングベルト抜け防止レバーとの係合位置を、該タイミングベルト抜け防止レバーの回動軸よりも内側に配置する
ことを特徴とするタイミングベルト連結用具。
【請求項４】
請求項１，２又は３に記載のタイミングベルト連結用具において、
前記タイミングベルト固定レバーを、前記タイミングベルトを固定する位置まで回動させ、該タイミングベルト固定レバーと前記タイミングベルト抜け防止レバーとを係合したときに、前記用具本体、前記タイミングベルト固定レバー及び前記タイミングベルト抜け防止レバーのそれぞれの上面が面一となる
ことを特徴とするタイミングベルト連結用具。
【請求項５】
請求項１，２，３又は４に記載のタイミングベルト連結用具において、
前記タイミングベルト固定レバー又は前記タイミングベルト抜け防止レバーの何れか一方に、該タイミングベルト抜け防止レバー又は前記タイミングベルト固定レバーの何れか他方との間に所定の間隔をあけるように形成される凹部を設ける
ことを特徴とするタイミングベルト連結用具。
【請求項６】
請求項１，２，３，４又は５に記載のタイミングベルト連結用具において、
前記タイミングベルト固定レバーを、前記タイミングベルトを固定する位置まで回動させたときに、該タイミングベルト固定レバーの回動を阻止する回動防止手段を設ける
ことを特徴とするタイミングベルト連結用具。
【請求項７】
請求項１，２，３，４，５又は６に記載のタイミングベルト連結用具を備えることを特徴とする自動ドア装置。
【発明の詳細な説明】
【技術分野】
【０００１】
本発明は、自動ドアを開閉作動させるタイミングベルトを主動プーリー及び従動プーリーに巻き付けるような場合に、タイミングベルトを無端状に連結するのに用いられるタイミングベルト連結用具と、このタイミングベルト連結用具を備える自動ドア装置に関する。
【背景技術】
【０００２】
従来、自動ドア開閉作動させる技術として、図２９に図示するような技術が知られている。
図２９において、自動ドア装置１０１は、取り付け用の自動ドア装置ベース１０２と、この自動ドア装置ベース１０２に取り付けられる駆動ユニット１０３と、駆動ユニット１０３の駆動により開閉動するドア１０４とを備えて構成されている。
【０００３】
駆動ユニット１０３は、モーター１０５と、このモーター１０５からの駆動力が伝達される減速機１０６とを備えている。減速機１０６には、シャフト１０７が組み込まれている。シャフト１０７には、プーリー１０８（主動プーリー）が組み付けられている。プーリー１０８は、回動自在な状態に組み付けられている。プーリー１０８から離れた位置には、アイドラープーリー１０９（従動プーリー）が回動自在に設けられている。プーリー１０８及びアイドラープーリー１０９には、タイミングベルト１１０（歯付きベルト）が巻き付けられている。タイミングベルト１１０は、タイミングベルト連結用具１１１によって無端状に連結されている。タイミングベルト１１０には、タイミングベルト連結用具１１１に組み付けられた連結具１１２を介してドア１０４が取り付けられている。
【０００４】
上記のようなタイミングベルト連結用具として、例えば、特許文献１に開示された技術が知られている。
図３０に図示するように、特許文献１に開示されたタイミングベルト連結用具２０１は、タイミングベルト２０２の端末を接続固定する用具本体２０３と、一端側が用具本体２０３に回動可能に取り付けられタイミングベルト２０２の端末を固定する回動レバー２０４とを備えて構成されている。
用具本体２０３は、一端側にタイミングベルト挿脱口２０４が開口形成され、内側には回動レバー収容室２０５が形成されている。回動レバー収容室２０５には、タイミングベルト挿脱口２０４の近傍に回動レバー用係止部２０６が形成されている。
回動レバー２０４は、用具本体２０３の軸方向に遊動自在で、回動レバー出入口２１１より上下方向へ出入自在となるように取り付けられることで、回動レバー収容室２０５に内装されている。回動レバー２０４には、この一端側から下方に延びるように設けられたタイミングベルト衝当部２０７と、タイミングベルト２０２の歯部２１０に係合可能に形成された抜け止め溝２０８と、回動レバー用係止部２０６に対して係脱自在なるよう係止する係留部２０９とを備えて構成されている。
【０００５】
ここで、タイミングベルト２０２の端末を、タイミングベルト連結用具２０１に接続固定する作業の手順を説明する。
まず、図３０（ａ）に図示するように、タイミングベルト２０２の端末を、用具本体２０３のタイミングベルト挿脱口２０４から、図３０（ａ）に図示する矢印Ｑの指示する方向に挿入する。そして、タイミングベルト２０２の端末を、回動レバー２０４のタイミングベルト衝当部２０７に押し当て回動レバー２０４を閉じる方向（図３０（ａ）においては、矢印Ｒの指示する方向）に回動させる。これにより、図３０（ｂ）に図示するように、回動レバー２０４の抜け止め溝２０８がタイミングベルト２０２の歯部２１０に係合する。
【０００６】
そして、タイミングベルト２０２を引出方向（図３０（ｂ）においては、矢印Ｓの指示する方向）へ牽引することで、回動ピン２１２を案内長孔２１３に沿って図３０（ｂ）に図示する矢印Ｓの方向に移動させ、図３０（ｃ）に図示するように、回動レバー２０４の係留部２０９を用具本体２０３の回動レバー用係止部２０６に係合させる。
最後に、図３０（ｃ）に図示するように、用具本体２０３の下面に形成された螺合孔２１４に、回動停止用ビス２１５を螺合することにより、回動レバー２０４の回動を阻止する。
以上により、タイミングベルト２０２の端末を、タイミングベルト連結用具２０１に接続固定する作業が完了する。
【０００７】
つぎに、タイミングベルト２０２をタイミングベルト連結用具２０１から取り外す作業の手順を説明する。
まず、図３０（ｃ）に図示する回動停止用ビス２１５を、用具本体２０３の螺合孔２１４から取り外す。
そして、タイミングベルト２０２を、図３０（ｃ）に図示する矢印Ｔの指示する方向に押し込む。すると、回動レバー２０４を押し入れさせることにより、図３０（ｂ）に図示するように、係留部２０９が用具本体２０３の回動レバー用係止部２０６から離脱する。このとき、タイミングベルト２０２を、少し引出方向（図３０（ｂ）においては、矢印Ｓの指示する方向）へ牽引することで、図３０（ａ）に図示するような回動レバー２０４が開いた状態となる。これにより、タイミングベルト２０２を、用具本体２０３から引き抜くことができる。
以上により、タイミングベルト２０２をタイミングベルト連結用具２０１から取り外す作業が完了する。
【先行技術文献】
【特許文献】
【０００８】
【特許文献１】特開２００１−１７３７２７号公報
【発明の概要】
【発明が解決しようとする課題】
【０００９】
従来技術において、タイミングベルトを主動プーリー及び従動プーリーに巻き付けた後、２つのタイミングベルト連結用具間を繋ぐボルトと、このボルトに螺合するナットによってタイミングベルト連結用具間の間隔を変更することによって、タイミングベルトの張りの調整を行っている。
ここで、タイミングベルトの張りが弱い場合、すなわち、タイミングベルトに撓みが生じている場合、ドアがストッパーに当たった際に、タイミングベルトが用具本体への挿入方向（図３０（ｃ）においては、矢印Ｔの指示する方向）に押し込まれる。すると、図３０（ｃ）において、回動レバー２０４の係留部２０９と用具本体２０３の回動レバー用係止部２０６との係合が解除されてしまう。これにより、タイミングベルト連結用具２０１は、回動レバー２０４が開いてしまい、タイミングベルト２０２の端末の接続固定状態が解除されてしまうというようなことがあった。このような場合に、タイミングベルト２０２がタイミングベルト連結用具２０１から離脱してしまうというような問題点があった。
【００１０】
上記問題点に対する対策として、図３０（ｃ）に図示するように、用具本体２０３の螺合孔２１４に回動停止用ビス２１５を螺合することにより、回動レバー２０４の回動を阻止することが行われている。
しかしながら、タイミングベルト連結用具２０１を、連結具１１２（図２９参照）に組み付けた状態にあっては、用具本体２０３の下側から回動停止用ビス２１５を螺合し難くなる。このため、タイミングベルト連結用具２０１を連結具１１２から取り外して回動停止用ビス２１５を螺合しなければならず、タイミングベルト２０２の端末の接続固定に係る作業性が悪いという問題点があった。
【００１１】
本発明は、上記した事情に鑑みてなされたもので、タイミングベルトの端末の接続固定に係る作業性を良好にしつつ、タイミングベルトが押し込まれた場合であってもタイミングベルトの接続固定が解除するのを防止することができるタイミングベルト連結用具、及び、このタイミングベルト連結用具を備える自動ドア装置を提供することを課題とする。
【課題を解決するための手段】
【００１２】
上記課題を解決するためになされた請求項１記載の本発明のタイミングベルト連結用具は、自動ドアのドアを移送するタイミングベルトの端末を接続固定するものであって、前記タイミングベルトの端末を挿脱可能に挿着する用具本体と，一端側が前記用具本体に回動可能に取り付けられ、他端側を装着することにより前記タイミングベルトを無端状に形成して固定するタイミングベルト固定レバーと，一端側が前記タイミングベルト固定レバーの上側で前記用具本体に回動可能に取り付けられ、他端側を前記タイミングベルト固定レバー側に押し下げることにより前記タイミングベルト固定レバーと係合し前記用具本体からの前記タイミングベルトの抜けを防止するタイミングベルト抜け防止レバーと，を備えてなり、前記タイミングベルト固定レバーを前記タイミングベルトを固定した状態において前記タイミングベルト抜け防止レバーを前記タイミングベルト固定レバーに装着して該タイミングベルト固定レバーに係合することにより、前記タイミングベルトが前記用具本体から離脱するのを防止し、前記用具本体には、前記タイミングベルト固定レバーの一端側を、該タイミングベルト固定レバーの他端側が前記タイミングベルトを固定する位置から該タイミングベルトの固定を解除する位置に向かって回動するように付勢する第１付勢部材と，前記タイミングベルト抜け防止レバーの一端側を付勢し、該タイミングベルト抜け防止レバーの他端側が前記タイミングベルト固定レバーを押し下げるように回動させる第２付勢部材と，を設けることを特徴とする。
【００１３】
このような特徴を有する本発明は、タイミングベルト固定レバーをタイミングベルトを固定した状態にしてタイミングベルト抜け防止レバーをタイミングベルト固定レバーに装着するだけで、タイミングベルト抜け防止レバーがタイミングベルト固定レバーに係合する。これにより、タイミングベルト抜け防止レバーがタイミングベルト固定レバーに係合している状態においては、タイミングベルトが用具本体から離脱しなくなる。
【００１５】
また、このような特徴を有する本発明は、タイミングベルト固定レバーの一端側が、第１付勢部材によって、タイミングベルト固定レバーの他端側がタイミングベルトを固定する位置からタイミングベルトの固定を解除する位置に向かって回動するように付勢される。また、タイミングベルト抜け防止レバーの一端側が、第２付勢部材によって付勢され、タイミングベルト抜け防止レバーの他端側がタイミングベルト固定レバーを押し下げるように回動する。
【００１６】
請求項２記載の本発明のタイミングベルト連結用具は、請求項１に記載のタイミングベルト連結用具において、前記タイミングベルト固定レバー又は前記タイミングベルト抜け防止レバーの何れか一方に、係合部を設け、前記タイミングベルト抜け防止レバー又は前記タイミングベルト固定レバーの何れか他方に、前記係合部が係合可能に形成された被係合部を設けることを特徴とする。
【００１７】
このような特徴を有する本発明は、タイミングベルト抜け防止レバーをタイミングベルト固定レバーに装着すると、タイミングベルト固定レバー又はタイミングベルト抜け防止レバーの何れか一方に設けられた係合部が、タイミングベルト抜け防止レバー又はタイミングベルト固定レバーの何れか他方に設けられた被係合部に係合する。
【００１８】
請求項３記載の本発明のタイミングベルト連結用具は、請求項１又は２に記載のタイミングベルト連結用具において、前記タイミングベルト固定レバーと前記タイミングベルト抜け防止レバーとの係合位置を、該タイミングベルト抜け防止レバーの回動軸よりも内側に配置することを特徴とする。
【００１９】
このような特徴を有する本発明は、タイミングベルト固定レバーとタイミングベルト抜け防止レバーとは、タイミングベルト抜け防止レバーの回動軸よりも内側の位置で係合する。
【００２０】
請求項４記載の本発明のタイミングベルト連結用具は、請求項１，２又は３に記載のタイミングベルト連結用具において、前記タイミングベルト固定レバーを、前記タイミングベルトを固定する位置まで回動させ、該タイミングベルト固定レバーと前記タイミングベルト抜け防止レバーとを係合したときに、前記用具本体、前記タイミングベルト固定レバー及び前記タイミングベルト抜け防止レバーのそれぞれの上面が面一となることを特徴とする。
【００２１】
このような特徴を有する本発明は、タイミングベルト固定レバーとタイミングベルト抜け防止レバーとを係合したときに、用具本体、タイミングベルト固定レバー及びタイミングベルト抜け防止レバーのそれぞれの上面が面一となる。これにより、タイミングベルト連結用具の上面がフラット化される。
【００２２】
請求項５記載の本発明のタイミングベルト連結用具は、請求項１，２，３又は４に記載のタイミングベルト連結用具において、前記タイミングベルト固定レバー又は前記タイミングベルト抜け防止レバーの何れか一方に、該タイミングベルト抜け防止レバー又は前記タイミングベルト固定レバーの何れか他方との間に所定の間隔をあけるように形成される凹部を設けることを特徴とする。
【００２３】
このような特徴を有する本発明は、タイミングベルト固定レバーとタイミングベルト抜け防止レバーとを係合したときに、タイミングベルト固定レバー又はタイミングベルト抜け防止レバーの何れか一方に設けた凹部によって、タイミングベルト固定レバーとタイミングベルト抜け防止レバーとの間に所定の間隔があくようになる。
【００２４】
請求項６記載の本発明のタイミングベルト連結用具は、請求項１，２，３，４又は５に記載のタイミングベルト連結用具において、前記タイミングベルト固定レバーを、前記タイミングベルトを固定する位置まで回動させたときに、該タイミングベルト固定レバーの回動を阻止する回動防止手段を設けることを特徴とする。
【００２５】
このような特徴を有する本発明は、回動防止手段を設けることにより、タイミングベルト固定レバーを、タイミングベルトを固定する位置まで回動させたときに、タイミングベルト固定レバーの回動が阻止される。
【００２６】
請求項７記載の本発明の自動ドア装置は、請求項１，２，３，４，５又は６に記載のタイミングベルト連結用具を備えることを特徴とする。
【００２７】
このような特徴を有する本発明は、自動ドア装置が、請求項１，２，３，４，５又は６に記載のタイミングベルト連結用具を備えることになる。
【発明の効果】
【００２８】
請求項１に記載された本発明によれば、タイミングベルト固定レバーをタイミングベルトを固定した状態にしてタイミングベルト抜け防止レバーをタイミングベルト固定レバーに装着するという簡単な作業によって、タイミングベルト抜け防止レバーをタイミングベルト固定レバーに係合させることができる。これにより、ドアがストッパーに当たったときに、タイミングベルトを用具本体へ挿入する際の挿入方向に押し込まれてもタイミングベルト固定レバーによるタイミングベルトの固定状態が解除しないようにすることができる。このことから、タイミングベルトが用具本体から離脱するのを防止することができる。したがって、タイミングベルトの端末の接続固定に係る作業性を良好にしつつ、タイミングベルトが押し込まれた場合であってもタイミングベルトの接続固定が解除するのを防止することができるという効果を奏する。
【００２９】
また、請求項１に記載された本発明によれば、タイミングベルト固定レバーの一端側が、第１付勢部材によって付勢され、タイミングベルト固定レバーの他端側がタイミングベルトを固定する位置からタイミングベルトの固定を解除する位置に向かって回動するため、タイミングベルトの端末の接続固定に係る作業を容易に行うことができる。また、タイミングベルト抜け防止レバーの一端側が、第２付勢部材によって付勢され、タイミングベルト抜け防止レバーの他端側がタイミングベルト固定レバーを押し下げるように回動するため、タイミングベルト抜け防止レバーをタイミングベルト固定レバーに係合させた状態において、タイミングベルト固定レバーの他端側がタイミングベルトを固定する位置からタイミングベルトの固定を解除する位置に向かって回動しなくなる。したがって、タイミングベルトの端末の接続固定に係る作業性を良好にしつつ、タイミングベルトが押し込まれた場合であっても、より確実にタイミングベルトの接続固定が解除するのを防止することができるという効果を奏する。
【００３０】
請求項２に記載された本発明によれば、係合部を被係合部に係合するという簡単な作業だけで、タイミングベルト抜け防止レバーをタイミングベルト固定レバーに係合することができる。これにより、ドアがストッパーに当たったときに、タイミングベルト固定レバーがタイミングベルトを用具本体へ挿入する際の挿入方向に押し込まれても、タイミングベルト固定レバーによるタイミングベルトの固定状態が解除しないようにすることができる。したがって、タイミングベルトの端末の接続固定に係る作業性をより向上させつつ、タイミングベルトが押し込まれた場合であってもタイミングベルトの接続固定が解除するのを確実に防止することができるという効果を奏する。
【００３１】
請求項３に記載された本発明によれば、タイミングベルト固定レバーとタイミングベルト抜け防止レバーがタイミングベルト抜け防止レバーの回動軸よりも内側の位置で係合するので、タイミングベルト抜け防止レバーは、常に、この他端側がタイミングベルト固定レバーを押し下げるように回動する。これにより、タイミングベルトが、このタイミングベルトを用具本体へ挿入する際の挿入方向に押し込まれても、タイミングベルト固定レバーとタイミングベルト抜け防止レバーの係合が解除されないようになる。したがって、タイミングベルトが押し込まれた場合であっても、より確実にタイミングベルトの接続固定が解除するのを防止することができるという効果を奏する。
【００３２】
請求項４に記載された本発明によれば、タイミングベルト連結用具の上面がフラット化されるため、タイミングベルト連結用具が、他の部材に干渉し難くなるという効果を奏する。
【００３３】
請求項５に記載された本発明によれば、タイミングベルト固定レバーとタイミングベルト抜け防止レバーとの間に所定の間隔があくようになるため、タイミングベルト固定レバーとタイミングベルト抜け防止レバーに歪みが生じても、タイミングベルト固定レバーとタイミングベルト抜け防止レバーとの係合が解除し難くなる。したがって、より確実にタイミングベルトの接続固定が解除するのを防止することができるという効果を奏する。
【００３４】
請求項６に記載された本発明によれば、回動防止手段によって、タイミングベルトを固定した状態のタイミングベルト固定レバーの回動を阻止することができる。これにより、タイミングベルト固定レバーの他端側がタイミングベルトを固定する位置からタイミングベルトの固定を解除する位置に向かう回動を確実に阻止することができる。したがって、より確実にタイミングベルトの接続固定が解除されるのを防止することができるという効果を奏する。
【００３５】
請求項７に記載された本発明によれば、自動ドア装置は、請求項１，２，３，４，５又は６に係るタイミングベルト連結用具と同様の効果を奏する。
【図面の簡単な説明】
【００３６】
【図１】本発明の自動ドア装置の構成図である。
【図２】本発明のタイミングベルト連結用具と、吊り金具、及び、取り付け金具の斜視図である。
【図３】タイミングベルト連結用具の実施例１の分解斜視図である。
【図４】用具本体を構成する半割本体の一方の斜視図、及び、側面図である。
【図５】タイミングベルト固定レバーの斜視図である。
【図６】タイミングベルト抜け防止レバーの斜視図である。
【図７】タイミングベルト連結用具の斜視図である。
【図８】タイミングベルトの端末をタイミングベルト連結用具に接続固定する作業手順の説明図であって、タイミングベルト固定レバーをタイミングベルトの端末に固定する前の状態を示す図である。
【図９】図８につづく図である。
【図１０】図９につづく図である。
【図１１】タイミングベルト固定レバーをタイミングベルトの端末に固定した状態であって、タイミングベルト抜け防止レバーをタイミングベルト固定レバーに係合する前の状態を示す図である。
【図１２】タイミングベルト固定レバーをタイミングベルトの端末に固定した状態であって、タイミングベルト抜け防止レバーをタイミングベルト固定レバーに係合した状態を示す図である。
【図１３】タイミングベルト抜け防止レバーとタイミングベルト固定レバーとの係合を解除した状態を示す図である。
【図１４】タイミングベルト抜け防止レバーとタイミングベルト固定レバーとの係合を解除した後、タイミングベルト抜け防止レバーを押し上げた状態を示す図である。
【図１５】タイミングベルト連結用具の実施例２の分解斜視図である。
【図１６】タイミングベルトの端末をタイミングベルト連結用具に接続固定する作業手順の説明図であって、タイミングベルト固定レバーをタイミングベルトの端末に固定する前の状態を示す図である。
【図１７】図１６につづく図である。
【図１８】タイミングベルト固定レバーをタイミングベルトの端末に固定した状態であって、タイミングベルト抜け防止レバーをタイミングベルト固定レバーに係合する前の状態を示す図である。
【図１９】タイミングベルト固定レバーをタイミングベルトの端末に固定した状態であって、タイミングベルト抜け防止レバーをタイミングベルト固定レバーに係合した状態を示す図である。
【図２０】タイミングベルト抜け防止レバーとタイミングベルト固定レバーとの係合を解除した状態を示す図である。
【図２１】タイミングベルト抜け防止レバーとタイミングベルト固定レバーとの係合を解除した後、タイミングベルト抜け防止レバーを押し上げた状態を示す図である。
【図２２】タイミングベルト連結用具の実施例３を示す図であって、タイミングベルト抜け防止レバーをタイミングベルト固定レバーに係合した状態を示す図である。
【図２３】タイミングベルト連結用具の実施例４を示す図であって、タイミングベルト抜け防止レバーをタイミングベルト固定レバーに係合した状態を示す図である。
【図２４】実施例４における第１付勢部材と第２付勢部材の斜視図、及び、側面図である。
【図２５】タイミングベルト連結用具の実施例５を示す図であって、タイミングベルト抜け防止レバーをタイミングベルト固定レバーに係合した状態を示す図である。
【図２６】実施例５における第１付勢部材と第２付勢部材の斜視図、及び、側面図である。
【図２７】タイミングベルト連結用具の実施例６を示す図であって、タイミングベルト抜け防止レバーをタイミングベルト固定レバーに係合した状態を示す図である。
【図２８】実施例６における第１付勢部材の斜視図、及び、側面図である。
【図２９】従来の自動ドア装置の構成図である。
【図３０】従来のタイミングベルト連結用具を示す図である。
【発明を実施するための形態】
【００３７】
以下、図１−図１４を参照しながら、本発明に係るタイミングベルト連結用具、及び、自動ドア装置の実施例１について、図１５−図２１を参照しながら、本発明に係るタイミングベルト連結用具、及び、自動ドア装置の実施例２について、図２２を参照しながら、本発明に係るタイミングベルト連結用具、及び、自動ドア装置の実施例３について、図２３及び図２４を参照しながら、本発明に係るタイミングベルト連結用具、及び、自動ドア装置の実施例４について、図２５及び図２６を参照しながら、本発明に係るタイミングベルト連結用具、及び、自動ドア装置の実施例５について、図２７及び図２８を参照しながら、本発明に係るタイミングベルト連結用具、及び、自動ドア装置の実施例６について、それぞれ説明する。
【実施例１】
【００３８】
以下、図１−図１４を参照しながら実施例１を説明する。
図１は本発明の自動ドア装置の構成図、図２は本発明のタイミングベルト連結用具と、吊り金具、及び、取り付け金具の斜視図、図３はタイミングベルト連結用具の実施例１の分解斜視図、図４は図３における用具本体を構成する半割本体の一方を示す図であって、（ａ）は半割本体の斜視図、（ｂ）は半割本体の側面図、図５はタイミングベルト固定レバーの斜視図、図６はタイミングベルト抜け防止レバーの斜視図、図７はタイミングベルト連結用具の斜視図、図８はタイミングベルトの端末をタイミングベルト連結用具に接続固定する作業手順の説明図であって、タイミングベルト固定レバーをタイミングベルトの端末に固定する前の状態を示す図、図９はタイミングベルトの端末をタイミングベルト連結用具に接続固定する作業手順の説明図であって、図８につづく図、図１０はタイミングベルトの端末をタイミングベルト連結用具に接続固定する作業手順の説明図であって、図９につづく図、図１１はタイミングベルト固定レバーをタイミングベルトの端末に固定した状態であって、タイミングベルト抜け防止レバーをタイミングベルト固定レバーに係合する前の状態を示す図、図１２はタイミングベルト固定レバーをタイミングベルトの端末に固定した状態であって、タイミングベルト抜け防止レバーをタイミングベルト固定レバーに係合した状態を示す図、図１３はタイミングベルト抜け防止レバーとタイミングベルト固定レバーとの係合を解除した状態を示す図、図１４はタイミングベルト抜け防止レバーとタイミングベルト固定レバーとの係合を解除した後、タイミングベルト抜け防止レバーを押し上げた状態を示す図である。
なお、図中の矢印は、前後、上下、左右の各方向を示している（矢印の各方向は一例であるものとする）。
【００３９】
図１において、引用符号１は、本発明に係るタイミングベルト連結用具を備える自動ドア装置を示している。
自動ドア装置１は、図１に図示するように、取り付け用の自動ドア装置ベース２と、この自動ドア装置ベース２に取り付けられる駆動ユニット３と、駆動ユニット３の駆動により開閉動するドア４とを備えて構成されている。
【００４０】
図１に図示するように、駆動ユニット３は、モーター５と、このモーター５からの駆動力が伝達される減速機６とを備えている。減速機６には、シャフト７が組み込まれている。シャフト７には、プーリー８（主動プーリー）が組み付けられている。プーリー８は、回動自在な状態に組み付けられている。プーリー８から離れた位置には、アイドラープーリー９（従動プーリー）が回動自在に設けられている。プーリー８及びアイドラープーリー９には、タイミングベルト１０（歯付きベルト）が巻き付けられている。
タイミングベルト１０は、図１に図示するように、本発明に係るタイミングベルト連結用具１１によって無端状に連結されている。タイミングベルト１０には、タイミングベルト連結用具１１に組み付けられた取り付け金具１２、及び、この取り付け金具１２が取り付けられる吊り金具１３を介してドア４が取り付けられている。
【００４１】
取り付け金具１２は、図２に図示するような形状に形成され、タイミングベルト連結用具組み付け溝１４を設けている。
吊り金具１３は、図１及び図２に図示するように、ドア４の上部に固定される吊り金具本体１５と、自動ドア装置１の上部レール（図示せず）の上を転動可能に形成されるハンガーローラ１６とを備えて構成されている。吊り金具本体１５には、取り付け金具１２がボルト１７及びナット（図示せず）の締結によって固定されている。
【００４２】
本実施例に係る自動ドア装置１は、従来の自動ドア装置１０１（図２９参照）に対して、タイミングベルト連結用具１１を設けている点が特徴となっている。
以下、タイミングベルト連結用具１１について詳細に説明する。
【００４３】
本発明に係るタイミングベルト連結用具１１は、本実施例では、図２に図示するように、一対設けられている。タイミングベルト連結用具１１同士の間の間隔は、ボルト１８及びナット１９によって変更することができるように構成されている。これにより、図２において、ナット１９を回転させることによって、タイミングベルト１０の張りの調整を行うことができる。
一対のタイミングベルト連結用具１１は、何れも、同一の構成及び構造を有している。
したがって、以下、一対のタイミングベルト連結用具１１のうちの１つについて説明する。
【００４４】
タイミングベルト連結用具１１は、図３に図示するように、用具本体２０と、タイミングベルト固定レバー２１と、タイミングベルト抜け防止レバー２２と、第１付勢部材２３と、第２付勢部材２４と、回動防止用ビス２５（回動防止手段）と、複数本（本実施例では２本）の用具本体固定用ビス２６と、複数本の用具本体固定用ビス２６のそれぞれに螺合するナット（図示せず）とを備えて構成されている。
以下、タイミングベルト連結用具１１の各構成について説明する。
【００４５】
まず、用具本体２０について説明する。
用具本体２０は、図２及び図７に図示するように、一対の半割本体２８を突き合わせ状態にして構成されている。
各半割本体２８は、左右対称の形状に形成され、何れも、同一の構成及び構造を有している。
したがって、以下、一対の半割本体２８のうちの１つについて説明する。
【００４６】
半割本体２８は、図３及び図４に図示するように、長矩形に形成され、上壁２９と、底壁３０と、前壁３１と、後壁３２と、側壁３３とを備えて構成され、さらに、内部にタイミングベルト端末部収容室３７と、ボルト収容室３８とを有している。
上壁２９は、図４に図示するように、半割本体２８の軸方向の一端側（図３及び図４においては、前後方向の前端側）から中間部にかけて大きく切り欠かれており、レバー出入口３４と、第２付勢部材載置部３５とが形成されている。
【００４７】
レバー出入口３４は、後述するタイミングベルト固定レバー２１とタイミングベルト抜け防止レバー２２とが回動しながら用具本体２０内を出入りする部分として形成されている。レバー出入口３４は、図７に図示するように、一対の半割本体２８を突き合わせ状態にしたときに、タイミングベルト固定レバー２１とタイミングベルト抜け防止レバー２２とが回動しながら用具本体２０内を出入り可能な形状に形成されている。
【００４８】
第２付勢部材載置部３５は、図３に図示する第２付勢部材２４を載置する部分として形成されている。第２付勢部材載置部３５は、図４に図示するように、レバー出入口３４の後端側において、上壁２９と側壁３３とに連続して設けられた板状部３６の上面に凹状に形成されている。
【００４９】
底壁３０は、図３及び図４に図示するように、半割本体２８の軸方向の一端側（図３及び図４においては、前後方向の前端側）から他端側（図３及び図４においては、前後方向の後端側）まで延びるように設けられている。
底壁３０には、タイミングベルト載置面３９と、回動防止用ビス螺合孔４０とが設けられている。
タイミングベルト載置面３９は、タイミングベルト１０（図２参照）の端末部を用具本体２０内に挿入し、後述するタイミングベルト端末部収容室３７に収容したときに、タイミングベルト１０の端末部が載置される部分として形成されている。
タイミングベルト載置面３９は、図４に図示するように、底壁３０の軸方向の一端側（図３及び図４においては、前後方向の前端側）の内側に平面状に形成されている。
【００５０】
回動防止用ビス螺合孔４０は、図３及び図４に図示するように、底壁３０の軸方向（図３及び図４においては、前後方向）における中間部に設けられている。
回動防止用ビス螺合孔４０は、図４（ａ）に図示するように、底壁３０の右縁部を略Ｕ字形に切り欠いて形成されている。回動防止用ビス螺合孔４０は、一対の半割本体２８を突き合わせ状態にしたときに、各半割本体２８それぞれの回動防止用ビス螺合孔４０同士が連通し、平面視円形となるように構成されている。
【００５１】
前壁３１は、図３及び図４に図示するように、側壁３３の軸方向における一端側（図３及び図４においては、前後方向の前端側）に連続して設けられ、タイミングベルト挿脱口４１と、タイミングベルト固定レバー係合部４２とが形成されている。
タイミングベルト挿脱口４１は、タイミングベルト１０（図２参照）の端末部をタイミングベルト端末部収容室３７に挿脱する部分として設けられている。タイミングベルト挿脱口４１は、図４に図示するように、前壁３１の下側を貫通し、後述するタイミングベルト端末部収容室３７に連通するように形成されている。
【００５２】
タイミングベルト固定レバー係合部４２は、後述するタイミングベルト固定レバー２１を係合し、タイミングベルト１０の端末部を固定した状態を保持するための部分として設けられている。タイミングベルト固定レバー係合部４２は、前壁３１の内側に凹状に形成されている。
【００５３】
後壁３２は、図３及び図４に図示するように、上壁２９と、底壁３０と、側壁３３のそれぞれの軸方向における他端側（図３及び図４においては、前後方向の後端側）に連続して設けられ、ボルト挿通孔４３が形成されている。ボルト挿通孔４３は、ボルト収容室３８に連通するように形成されている。
【００５４】
側壁３３は、図３及び図４に図示するように、底壁３０の左右方向における左端側から上方に立設されている。
側壁３３の内面には、図３及び図４に図示するように、ガイド長孔４４と、ガイド孔４５とが形成されている。
ガイド長孔４４は、図３及び図５に図示するタイミングベルト固定レバー２１の後述する回動軸４６を係合する部分として形成されている。ガイド長孔４４は、タイミングベルト固定レバー２１が回動自在となるように、且つ、用具本体２０の前後方向に遊動自在となるように形成されている。ガイド長孔４４は、長円形に形成された溝であって、側壁３３の中間部に側壁３３の軸方向（図３及び図４においては、前後方向）に沿って直線状に延びるように形成されている。
【００５５】
ガイド孔４５は、図３及び図６に図示するタイミングベルト抜け防止レバー２２の後述する回動軸４７を係合する部分として形成されている。ガイド孔４５は、タイミングベルト抜け防止レバー２２が回動自在となるように形成されている。ガイド孔４５は、図４に図示するように、円形の溝状に形成され、レバー出入口３４の後端側であって板状部３６の上方に配置されるように形成されている。
ガイド孔４５は、図４に図示するように、側壁３３の中間部で且つガイド長孔４４の後側に形成されている。また、ガイド孔４５は、図４に図示するように、ガイド長孔４４のよりも上側に形成されている（このようにガイド孔４５を形成することで、タイミングベルト抜け防止レバー２２の一端側（回動軸４７）をタイミングベルト固定レバー２１の上側で回動可能に取り付けることができる）。
【００５６】
側壁３３の外面には、図３及び図４に図示するように、複数の用具本体固定用ビス挿通孔２７が貫通形成されている。複数の用具本体固定用ビス挿通孔２７は、それぞれ、図３に図示する用具本体固定用ビス２６が挿通可能に形成されている。
【００５７】
タイミングベルト端末部収容室３７は、図４に図示するタイミングベルト挿脱口４１から挿入されたタイミングベルト１０（図２参照）の端末部を収容する部分として形成されている。タイミングベルト端末部収容室３７は、図４に図示するように、半割本体２８の前後方向における前端側に形成され、一対の半割本体２８を突き合わせ状態にしたときに、各半割本体２８それぞれのタイミングベルト端末部収容室３７同士が連通し、１つの収容室を形成するような構成となっている。
【００５８】
ボルト収容室３８は、図２に図示するボルト１８を収容する部分として形成されている。ボルト収容室３８は、図４に図示するように、半割本体２８の前後方向における後端側に形成され、一対の半割本体２８を突き合わせ状態にしたときに、各半割本体２８それぞれのボルト収容室３８同士が連通し、１つの収容室を形成するような構成となっている。ボルト収容室３８には、図２に図示するナット１９を装着するナット装着部４８が形成されている。
【００５９】
つぎに、タイミングベルト固定レバー２１について説明する。
タイミングベルト固定レバー２１は、図３及び図５に図示するように、一対の回動軸４６と、タイミングベルト当接部４９と、抜け止め溝５０と、係合突起５１と、被係合部５２とを備えて構成されている。
一対の回動軸４６は、図５に図示するように、タイミングベルト固定レバー２１の軸方向の一端側（図５においては、前後方向の後端側）に形成され、タイミングベルト固定レバー２１の軸方向に直交する方向（図５においては、左右方向）に突設されている。
【００６０】
タイミングベルト当接部４９は、タイミングベルト１０（図２参照）の端末部の先端が当接する部分として設けられている。また、タイミングベルト当接部４９は、後述する第１付勢部材２３による付勢を受ける部分として設けられている。
タイミングベルト当接部４９は、図５に図示するように、タイミングベルト固定レバー２１の軸方向の一端側（図５においては、前後方向の後端側）から下方へ延びるように形成されている。タイミングベルト当接部４９は、図５に図示するように、両側部がタイミングベルト固定レバー２１の軸方向に直交する方向（図５においては、左右方向）に突出するように形成されている。
【００６１】
抜け止め溝５０は、タイミングベルト１０（図２参照）の端末部の歯部６０に係合しタイミングベルト１０を抜け止めするための部分として設けられている。
抜け止め溝５０は、タイミングベルト固定レバー２１の下面に複数条設けられている。抜け止め溝５０は、タイミングベルト固定レバー２１の軸方向に直交する方向（図５においては、左右方向）に延びるように形成され、タイミングベルト固定レバー２１の軸方向の全長（図５においては、前後方向の前端側から後端側）にわたって設けられている。
【００６２】
係合突起５１は、図５に図示するように、タイミングベルト固定レバー２１の軸方向の他端側（図５においては、前後方向の前端側）に突設され、図４に図示するタイミングベルト固定レバー係合部４２に係合可能な形状に形成されている。
【００６３】
被係合部５２は、図５に図示するように、タイミングベルト固定レバー２１の上面であって、タイミングベルト固定レバー２１の軸方向（図５においては、前後方向）の中間部に形成されている。被係合部５２は、後述するタイミングベルト抜け防止レバー２２（図６参照）の係合部５４と係合可能な形状に形成されている。
本実施例では、タイミングベルト固定レバー２１に被係合部５２が形成される構成となっているが、これに限定されるものではない。すなわち、タイミングベルト固定レバー２１に、タイミングベルト抜け防止レバー２２との係合を可能とする係合部が形成される構成であってもよいものとする。
【００６４】
つぎに、タイミングベルト抜け防止レバー２２について説明する。
タイミングベルト抜け防止レバー２２は、図６に図示するうに、一対の回動軸４７と、付勢部５３と、係合部５４と、係合解除部５５と、凹部５６とを備えて構成されている。
一対の回動軸４７は、図６に図示するように、タイミングベルト抜け防止レバー２２の軸方向の一端側（図６においては、前後方向の後端側）に形成され、タイミングベルト抜け防止レバー２２の両側部から、タイミングベルト抜け防止レバー２２の軸方向に直交する方向（図６においては、左右方向）に突設されている。
【００６５】
付勢部５３は、後述する第２付勢部材２４による付勢を受ける部分として設けられている。付勢部５３は、図６に図示するように、タイミングベルト抜け防止レバー２２の軸方向の一端側（図６においては、前後方向の後端側）に薄板状に形成されている。
【００６６】
係合部５４は、図６に図示するように、タイミングベルト抜け防止レバー２２の軸方向の他端側（図６においては、前後方向の前端側）に凸状に形成されている。係合部５４は、タイミングベルト固定レバー２１（図５参照）の被係合部５２に係合可能な形状に形成されている。
本実施例では、タイミングベルト抜け防止レバー２２に係合部５４が形成される構成となっているが、これに限定されるものではない。すなわち、タイミングベルト抜け防止レバー２２に、タイミングベルト固定レバー２１との係合を可能とする被係合部が形成される構成であってもよいものとする。
【００６７】
係合解除部５５は、タイミングベルト固定レバー２１とタイミングベルト抜け防止レバー２２との係合を解除する際に、作業者が、指先や、工具（例えば、マイナスドライバー）を引っ掛ける部分として設けられている。係合解除部５５は、図６に図示するように、タイミングベルト抜け防止レバー２２の軸方向の他端側（図６においては、前後方向の前端側）に略コ字状に形成されている。
【００６８】
凹部５６は、タイミングベルト固定レバー２１とタイミングベルト抜け防止レバー２２とを係合したときに、タイミングベルト固定レバー２１とタイミングベルト抜け防止レバー２２との間に、所定の間隔を持たせるための部分として設けられている。凹部５６は、図６に図示するように、タイミングベルト抜け防止レバー２２の下面に設けられ、タイミングベルト抜け防止レバー２２の軸方向の他端側（図６においては、前後方向の前端側）から回動軸４７が形成される位置まで切り欠いて形成されている。
本実施例では、凹部５６を、タイミングベルト抜け防止レバー２２に設ける構成となっているが、これに限定されるものではない。すなわち、凹部５６を、図５に図示するタイミングベルト固定レバー２１の上面に設ける構成であってもよいものとする。
【００６９】
つぎに、第１付勢部材２３について説明する。
第１付勢部材２３は、タイミングベルト固定レバー２１のタイミングベルト当接部４９を、タイミングベルト固定レバー２１の他端側がタイミングベルト１０（図２参照）の端末部を固定する位置からタイミングベルト１０の固定を解除する位置に向かって回動するように付勢することができる部材して形成されている。
【００７０】
本実施例では、第１付勢部材２３は、特に限定するものではないが、図３に図示するような形状に形成されたスプリングであるものとする。
第１付勢部材２３は、図３に図示するように、リング部５７と、第１脚部５８と、第２脚部５９とを備えて構成されている。
第１付勢部材２３は、図３に図示するようなスプリングに限定されるものではなく、他の弾性を有する部材であってもよいものとする（他の具体例としては、実施例２−６を参照）。
【００７１】
つぎに、第２付勢部材２４について説明する。
第２付勢部材２４は、タイミングベルト抜け防止レバー２２のタイミングベルト抜け防止レバー付勢部５３を付勢し、タイミングベルト抜け防止レバー２２の他端側がタイミングベルト固定レバー２１を押し下げるように回動させることができる部材として形成されている。
本実施例では、第２付勢部材２４は、特に限定するものではないが、図３に図示するような形状に形成されたコイルスプリングであるものとする。
第２付勢部材２４は、図３に図示するようなコイルスプリングに限定されるものではなく、他の弾性を有する部材であってもよいものとする（他の具体例としては、実施例３−６を参照）。
【００７２】
つぎに、回動防止用ビス２５について説明する。
回動防止用ビス２５は、特許請求の範囲における「回動防止手段」に相当するものである。
図３に図示する回動防止用ビス２５は、用具本体２０の回動防止用ビス螺合孔４０に螺合すると、タイミングベルト固定レバー２１の回動を停止させることができるものとして備えられている。
【００７３】
つぎに、タイミングベルト連結用具１１の組み立て作業の手順について説明する。
まず、図３において、タイミングベルト固定レバー２１の一方の回動軸４６に第１付勢部材２３のリング部５７を挿通し、第２脚部５９をタイミングベルト固定レバー２１のタイミングベルト当接部４９の上面に載置する（図８参照）。さらに、図３に図示する第２付勢部材２４を、半割本体２８の第２付勢部材載置部３５に載置する（図８参照）。
【００７４】
そして、タイミングベルト固定レバー２１の回動軸４６を半割本体２８のガイド長孔４４に係合し、タイミングベルト抜け防止レバー２２の回動軸４７を半割本体２８のガイド孔４５に係合する。また、図２に図示するナット１９をナット装着部４８に装着する。しかる後、一対の半割本体２８を突き合わせ状態にする。
最後に、図７に図示するように、用具本体固定用ビス２６を用具本体固定用ビス挿通孔２７に挿通する。そして、用具本体固定用ビス２６とナット（図示せず）とを螺合し、上記突き合わせ状態を固定する。
以上により、タイミングベルト連結用具１１の組み立て作業が完了する。
【００７５】
つぎに、タイミングベルト１０の端末部を、タイミングベルト連結用具１１に接続固定する作業の手順と、各部の動作について説明する。
まず、図８に図示するように、タイミングベルト１０の端末部を、図８に図示する矢印Ａの指示する方向からタイミングベルト挿脱口４１を挿通させタイミングベルト端末部収容室３７内に挿入する。
【００７６】
そして、タイミングベルト固定レバー２１と、タイミングベルト抜け防止レバー２２とを上方から押し下げ、図８に図示する矢印Ｂの指示する方向に回動させる。
このとき、タイミングベルト固定レバー２１は、このタイミングベルト固定レバー２１の一端側（タイミングベルト当接部４９）が第１付勢部材２３によって付勢され、タイミングベルト固定レバー２１の他端側（図８においては、前後方向の前端側）がタイミングベルト１０を固定する位置からタイミングベルト１０の固定を解除する位置に向かって（図８においては、矢印Ｂが指示する方向とは反対の方向に）回動する。
また、このとき、タイミングベルト抜け防止レバー２２は、このタイミングベルト抜け防止レバー２２の一端側（付勢部５３）が第２付勢部材２４によって付勢され、タイミングベルト抜け防止レバー２２の他端側（図８においては、前後方向の前端側）がタイミングベルト固定レバー２１を押し下げるように（図８においては、矢印Ｂの図示する方向に）回動する。
【００７７】
図９に図示するように、タイミングベルト１０の端末部のタイミングベルト端末部収容室３７内への挿入と、タイミングベルト固定レバー２１及びタイミングベルト抜け防止レバー２２の押し下げとを続けてゆく。すると、図１０に図示するように、タイミングベルト１０の端末部の先端が、タイミングベルト固定レバー２１のタイミングベルト当接部４９に当接する。
図１０において、タイミングベルト１０の端末部を、さらに、タイミングベルト端末部収容室３７の奥部へと押し込んでいくと、タイミングベルト固定レバー２１のタイミングベルト当接部４９がタイミングベルト１０の端末部の先端によって押圧される。これにより、タイミングベルト抜け防止レバー２２の他端側がタイミングベルト固定レバー２１を、さらに押し下げるように（図１０に図示する矢印Ｃの指示する方向に）回動する。
【００７８】
そして、タイミングベルト固定レバー２１は、図１１に図示するように、レバー出入口３４を通過し、タイミングベルト１０の端末部を固定する位置に達して回動を終了する。
このとき、タイミングベルト固定レバー２１の抜け止め溝５０がタイミングベルト１０の歯部６０に係合する。
【００７９】
しかる後、タイミングベルト１０を、引出方向（図１１に図示する矢印Ｄの指示する方向）へ牽引することでタイミングベルト固定レバー２１の回動軸４６をガイド長孔４４に沿って図１１に図示する矢印Ｄの指示する方向に移動させる。すると、図１２に図示するように、タイミングベルト固定レバー２１の係合突起５１が、用具本体２０のタイミングベルト固定レバー係合部４２に係合する。
【００８０】
そして、タイミングベルト抜け防止レバー２２を図１２に図示する矢印Ｆの指示する方向に押し下げることにより、タイミングベルト抜け防止レバー２２の係合部５４がタイミングベルト固定レバー２１の被係合部５２に係合する。
ここで、係合部５４と被係合部５２との係合位置は、図１２に図示するように、タイミングベルト抜け防止レバー２２の回動軸４７の中心位置よりもタイミングベルト端末部収容室３７の内側に配置されるように構成されているものとする。
【００８１】
また、図１２において、タイミングベルト固定レバー２１とタイミングベルト抜け防止レバー２２とを係合すると、用具本体２０、タイミングベルト固定レバー２１、及び、タイミングベルト抜け防止レバー２２のそれぞれの上面が面一となる。
さらに、図１２において、タイミングベルト固定レバー２１とタイミングベルト抜け防止レバー２２とを係合すると、タイミングベルト抜け防止レバー２２の下面に設けた凹部５６によって、タイミングベルト固定レバー２１とタイミングベルト抜け防止レバー２２との間に所定の間隔があくようになる。
【００８２】
最後に、図１２に図示するように、回動防止用ビス２５を、回動防止用ビス螺合孔４０に螺合することにより、タイミングベルト固定レバー２１の回動を阻止する。
以上により、タイミングベルト１０の端末部を、タイミングベルト連結用具１１に接続固定する作業が完了する。
【００８３】
ここで、タイミングベルト１０に、このタイミングベルト１０を用具本体２０へ挿入する際の挿入方向に押し込もうとする力が働いた場合の、本発明の作用について説明する。
図１に図示するような自動ドア装置１のドア４がストッパーに当たったときに、タイミングベルト１０には、このタイミングベルト１０を用具本体２０へ挿入する際の挿入方向（図１２においては、矢印Ｅの指示する方向）に押し込もうとする力が働く。
【００８４】
このような場合に、図２３に図示する従来技術のタイミングベルト連結用具２０１であれば、タイミングベルト２０２が用具本体２０３への挿入方向（図２３（ｃ）においては、矢印Ｔの指示する方向）に押し込まれ、回動レバー２０４の係留部２０９と用具本体２０３の回動レバー用係止部２０６との係合が解除されてしまう。これにより、タイミングベルト連結用具２０１は、回動レバー２０４が開いてしまい、タイミングベルト２０２の端末の接続固定状態が解除される。そして、タイミングベルト２０２がタイミングベルト連結用具２０１から離脱してしまう。
【００８５】
これに対し、本実施例のタイミングベルト連結用具１１は、図１２に図示するように、タイミングベルト抜け防止レバー２２がタイミングベルト固定レバー２１に係合している状態においては、タイミングベルト１０に、このタイミングベルト１０を用具本体２０へ挿入する際の挿入方向（図１２においては、矢印Ｅの指示する方向）に押し込もうとする力が働いても、タイミングベルト固定レバー２１の図１２に図示する矢印Ｅの指示する方向への移動が規制されるため、タイミングベルト固定レバー２１の係合突起５１と用具本体２０のタイミングベルト固定レバー係合部４２との係合が解除されることはない。
また、タイミングベルト抜け防止レバー２２の一端側（付勢部５３）が、第２付勢部材２４によって付勢され、タイミングベルト抜け防止レバー２２の他端側がタイミングベルト固定レバー２１を押し下げるように回動するため、タイミングベルト抜け防止レバー２２がタイミングベルト固定レバー２１に係合している状態においては、タイミングベルト抜け防止レバー２２は常に図１２に図示する矢印Ｆの指示する方向に押し下げられることになる。これにより、用具本体２０のタイミングベルト固定レバー係合部４２との係合が解除されることはない。
したがって、タイミングベルト１０が用具本体２０から離脱しなくなる。
【００８６】
最後に、タイミングベルト１０の端末部と、タイミングベルト連結用具１１との接続固定を解除する作業の手順と、各部の動作について説明する。
まず、図１３に図示するように、タイミングベルト１０を引出方向（図１３においては、矢印Ｇの指示する方向）に牽引し、タイミングベルト固定レバー２１とタイミングベルト抜け防止レバー２２との係合を解除する。
そして、作業者が、指先又は工具（例えば、マイナスドライバー）を、図１３に図示するタイミングベルト抜け防止レバー２２の係合解除部５５に引っ掛けて、図１４に図示するように、タイミングベルト抜け防止レバー２２を押し上げる。
【００８７】
しかる後、図１４において、タイミングベルト１０を挿入方向に押し込むことでタイミングベルト固定レバー２１の回動軸４６をガイド長孔４４に沿ってタイミングベルト１０の挿入方向に移動させ、タイミングベルト固定レバー２１の係合突起５１と、用具本体２０のタイミングベルト固定レバー係合部４２との係合を解除する。すると、第１付勢部材２３の付勢により、タイミングベルト固定レバー２１の他端側がタイミングベルト１０を固定する位置からタイミングベルト１０の固定を解除する位置に向かって回動する。
以上により、タイミングベルト１０の端末部と、タイミングベルト連結用具１１との接続固定を解除する作業が完了する。
【００８８】
以上、図１−図１４を参照しながら説明してきたように、本発明のタイミングベルト連結用具によれば、タイミングベルト固定レバー２１をタイミングベルト１０を固定した状態にしてタイミングベルト抜け防止レバー２２をタイミングベルト固定レバー２１に装着するという簡単な作業によって、タイミングベルト抜け防止レバー２２をタイミングベルト固定レバー２１に係合させることができる。これにより、ドア４がストッパーに当たったときに、タイミングベルト１０を用具本体２０へ挿入する際の挿入方向に押し込まれてもタイミングベルト固定レバー２１によるタイミングベルト１０の固定状態が解除しないようにすることができる。このことから、タイミングベルト１０が用具本体２０から離脱するのを防止することができる。
したがって、タイミングベルト１０の端末の接続固定に係る作業性を良好にしつつ、タイミングベルト１０が押し込まれた場合であってもタイミングベルト１０の接続固定が解除するのを防止することができるという効果を奏する。
【００８９】
また、本発明のタイミングベルト連結用具によれば、タイミングベルト固定レバー２１の一端側が、第１付勢部材２３によって付勢され、タイミングベルト固定レバー２１の他端側がタイミングベルト１０を固定する位置からタイミングベルト１０の固定を解除する位置に向かって回動するため、タイミングベルト１０の端末の接続固定に係る作業を容易に行うことができる。また、タイミングベルト抜け防止レバー２２の一端側が、第２付勢部材２４によって付勢され、タイミングベルト抜け防止レバー２２の他端側がタイミングベルト固定レバー２１を押し下げるように回動するため、タイミングベルト抜け防止レバー２２をタイミングベルト固定レバー２１に係合させた状態において、タイミングベルト固定レバー２１の他端側がタイミングベルト１０を固定する位置からタイミングベルト１０の固定を解除する位置に向かって回動しなくなる。
したがって、タイミングベルト１０の端末の接続固定に係る作業性を良好にしつつ、タイミングベルト１０が押し込まれた場合であっても、より確実にタイミングベルト１０の接続固定が解除するのを防止することができるという効果を奏する。
【００９０】
また、本発明のタイミングベルト連結用具によれば、係合部５４を被係合部５２に係合するという簡単な作業だけで、タイミングベルト抜け防止レバー２２をタイミングベルト固定レバー２１に係合することができる。これにより、ドア４がストッパーに当たったときに、タイミングベルト固定レバー２１がタイミングベルト１０を用具本体２０へ挿入する際の挿入方向に押し込まれても、タイミングベルト固定レバー２１によるタイミングベルト１０の固定状態が解除しないようにすることができる。
したがって、タイミングベルト１０の端末の接続固定に係る作業性をより向上させつつ、タイミングベルト１０が押し込まれた場合であってもタイミングベルト１０の接続固定が解除するのを確実に防止することができるという効果を奏する。
【００９１】
また、本発明のタイミングベルト連結用具によれば、タイミングベルト固定レバー２１とタイミングベルト抜け防止レバー２２がタイミングベルト抜け防止レバー２２の回動軸４７よりも内側の位置で係合するので、タイミングベルト抜け防止レバー２２は、常に、この他端側がタイミングベルト固定レバー２１を押し下げるように回動する。これにより、タイミングベルト１０が、このタイミングベルト１０を用具本体２０へ挿入する際の挿入方向に押し込まれても、タイミングベルト固定レバー２１とタイミングベルト抜け防止レバー２２の係合が解除されないようになる。
したがって、タイミングベルト１０が押し込まれた場合であっても、より確実にタイミングベルト１０の接続固定が解除するのを防止することができるという効果を奏する。
【００９２】
また、本発明のタイミングベルト連結用具によれば、タイミングベルト連結用具１１の上面がフラット化されるため、タイミングベルト連結用具１０が、他の部材に干渉し難くなるという効果を奏する。
【００９３】
また、本発明のタイミングベルト連結用具によれば、タイミングベルト固定レバー２１又はタイミングベルト抜け防止レバー２２に凹部５６を設けることにより、タイミングベルト固定レバー２１とタイミングベルト抜け防止レバー２２との間に所定の間隔があくようになるため、タイミングベルト固定レバー２１とタイミングベルト抜け防止レバー２２に歪みが生じても、タイミングベルト固定レバーとタイミングベルト抜け防止レバー２２との係合が解除し難くなる。
したがって、より確実にタイミングベルト１０の接続固定が解除するのを防止することができるという効果を奏する。
【００９４】
また、本発明のタイミングベルト連結用具によれば、回動防止用ビス２５によって、タイミングベルト固定レバー２１の他端側がタイミングベルト１０を固定する位置からタイミングベルト１０の固定を解除する位置に向かう回動を確実に阻止することができる。
したがって、より確実にタイミングベルト１０の接続固定が解除されるのを防止することができるという効果を奏する。
【００９５】
さらに、本発明のタイミングベルト連結用具を備える自動ドア装置は、上記構成のタイミングベルト連結用具１１と同様の効果を奏する。
【実施例２】
【００９６】
本発明に係るタイミングベルト連結用具、及び、自動ドア装置は、実施例１の他、下記の実施例２を用いてもよいものとする。
以下、図１５−図２１を参照しながら実施例２を説明する。
図１５はタイミングベルト連結用具の実施例２の分解斜視図、図１６はタイミングベルトの端末をタイミングベルト連結用具に接続固定する作業手順の説明図であって、タイミングベルト固定レバーをタイミングベルトの端末に固定する前の状態を示す図、図１７はタイミングベルトの端末をタイミングベルト連結用具に接続固定する作業手順の説明図であって、図１６につづく図、図１８はタイミングベルト固定レバーをタイミングベルトの端末に固定した状態であって、タイミングベルト抜け防止レバーをタイミングベルト固定レバーに係合する前の状態を示す図、図１９はタイミングベルト固定レバーをタイミングベルトの端末に固定した状態であって、タイミングベルト抜け防止レバーをタイミングベルト固定レバーに係合した状態を示す図、図２０はタイミングベルト抜け防止レバーとタイミングベルト固定レバーとの係合を解除した状態を示す図、図２１はタイミングベルト抜け防止レバーとタイミングベルト固定レバーとの係合を解除した後、タイミングベルト抜け防止レバーを押し上げた状態を示す図である。
図１５−図２１において、実施例１と同一の構成部材には、同一の符号を付して詳細な説明を省略する。
なお、図中の矢印は、前後、上下、左右の各方向を示している（矢印の各方向は一例であるものとする）。
【００９７】
図１５において、引用符号７１は、本発明のタイミングベルト連結用具の実施例２を示している。
本実施例におけるタイミングベルト連結用具７１は、図１５に図示する第１付勢部材７２の構成以外は、実施例１と同じ構成及び構造を備えている。したがって、本実施例では、第１付勢部材７２の構成及び構造について説明し、他の構成及び構造の詳細な説明は省略する。
【００９８】
本実施例における第１付勢部材７２は、所定の板厚を有する金属板からなり、図１５に図示するように、略Ｖ字形に形成された板バネであるものとする。
第１付勢部材７２の弾力は、板バネの板厚を変更することにより調整するものとする。
第１付勢部材７２は、本実施例の構成及び構造に限定されるものではなく、他の弾性を有する部材であってもよいものとする（他の具体例としては、実施例３−６を参照）。
【００９９】
つぎに、タイミングベルト連結用具７１の組み立て作業の手順について説明する。
タイミングベルト連結用具１１の組み立て作業の手順は、図１６に図示するように、第１付勢部材７２をタイミングベルト端末部収容室３７の奥部に収容しタイミングベルト固定レバー２１のタイミングベルト当接部４９に接触させるように配置する点以外は、実施例１における組み立て作業の手順と同一である。
【０１００】
つぎに、タイミングベルト１０の端末部を、タイミングベルト連結用具７１に接続固定する作業の手順と、各部の動作について説明する。
まず、図１６に図示するように、タイミングベルト１０の端末部を、図１６に図示する矢印Ｈの指示する方向からタイミングベルト挿脱口４１を挿通させタイミングベルト端末部収容室３７内に挿入する。
【０１０１】
そして、タイミングベルト固定レバー２１と、タイミングベルト抜け防止レバー２２とを上方から押し下げ、図１６に図示する矢印Ｊの指示する方向に回動させる。
このとき、タイミングベルト固定レバー２１は、このタイミングベルト固定レバー２１の一端側（タイミングベルト当接部４９）が第１付勢部材７２によって付勢され、タイミングベルト固定レバー２１の他端側（図１６においては、前後方向の前端側）がタイミングベルト１０を固定する位置からタイミングベルト１０の固定を解除する位置に向かって（図１６においては、矢印Ｊが指示する方向とは反対の方向に）回動する。
また、このとき、タイミングベルト抜け防止レバー２２は、このタイミングベルト抜け防止レバー２２の一端側（付勢部５３）が第２付勢部材２４によって付勢され、タイミングベルト抜け防止レバー２２の他端側（図１６においては、前後方向の前端側）がタイミングベルト固定レバー２１を押し下げるように（図１６においては、矢印Ｊの図示する方向に）回動する。
【０１０２】
図１７において、タイミングベルト１０の端末部のタイミングベルト端末部収容室３７内への挿入と、タイミングベルト固定レバー２１及びタイミングベルト抜け防止レバー２２の押し下げとを続けてゆくと、タイミングベルト１０の端末部の先端が、タイミングベルト固定レバー２１のタイミングベルト当接部４９に当接する。
タイミングベルト１０の端末部を、さらに、タイミングベルト端末部収容室３７の奥部へと押し込んでいくと、タイミングベルト固定レバー２１のタイミングベルト当接部４９がタイミングベルト１０の端末部の先端によって押圧される。これにより、タイミングベルト抜け防止レバー２２の他端側がタイミングベルト固定レバー２１を、さらに押し下げるように（図１７に図示する矢印Ｋの指示する方向に）回動する。
【０１０３】
そして、タイミングベルト固定レバー２１は、図１８に図示するように、レバー出入口３４を通過し、タイミングベルト１０の端末部を固定する位置に達して回動を終了する。
このとき、タイミングベルト固定レバー２１の抜け止め溝５０がタイミングベルト１０の歯部６０に係合する。
【０１０４】
しかる後、タイミングベルト１０を、引出方向（図１８に図示する矢印Ｌの指示する方向）へ牽引することでタイミングベルト固定レバー２１の回動軸４６をガイド長孔４４に沿って図１８に図示する矢印Ｌの指示する方向に移動させる。すると、図１９に図示するように、タイミングベルト固定レバー２１の係合突起５１が、用具本体２０のタイミングベルト固定レバー係合部４２に係合する。
【０１０５】
そして、タイミングベルト抜け防止レバー２２を図１９に図示する矢印Ｎの指示する方向に押し下げることにより、タイミングベルト抜け防止レバー２２の係合部５４がタイミングベルト固定レバー２１の被係合部５２に係合する。
ここで、係合部５４と被係合部５２との係合位置は、図１９に図示するように、タイミングベルト抜け防止レバー２２の回動軸４７の中心位置よりもタイミングベルト端末部収容室３７の内側に配置されるように構成されているものとする。
【０１０６】
また、図１９において、タイミングベルト固定レバー２１とタイミングベルト抜け防止レバー２２とを係合すると、用具本体２０、タイミングベルト固定レバー２１、及び、タイミングベルト抜け防止レバー２２のそれぞれの上面が面一となる。
さらに、図１９において、タイミングベルト固定レバー２１とタイミングベルト抜け防止レバー２２とを係合すると、タイミングベルト抜け防止レバー２２の下面に設けた凹部５６によって、タイミングベルト固定レバー２１とタイミングベルト抜け防止レバー２２との間に所定の間隔があくようになる。
以上により、タイミングベルト１０の端末部を、タイミングベルト連結用具７１に接続固定する作業が完了する。
【０１０７】
ここで、タイミングベルト１０に、このタイミングベルト１０を用具本体２０へ挿入する際の挿入方向に押し込もうとする力が働いた場合の、本発明の作用について説明する。
図１に図示するような自動ドア装置１のドア４がストッパーに当たったときに、タイミングベルト１０には、このタイミングベルト１０を用具本体２０へ挿入する際の挿入方向（図１９においては、矢印Ｍの指示する方向）に押し込もうとする力が働く。
【０１０８】
本実施例のタイミングベルト連結用具７１は、図１９に図示するように、タイミングベルト抜け防止レバー２２がタイミングベルト固定レバー２１に係合している状態においては、タイミングベルト１０に、このタイミングベルト１０を用具本体２０へ挿入する際の挿入方向（図１９においては、矢印Ｍの指示する方向）に押し込もうとする力が働いても、タイミングベルト固定レバー２１の図１９に図示する矢印Ｍの指示する方向への移動が規制されるため、タイミングベルト固定レバー２１の係合突起５１と用具本体２０のタイミングベルト固定レバー係合部４２との係合が解除されることはない。
また、タイミングベルト抜け防止レバー２２の一端側（付勢部５３）が、第２付勢部材２４によって付勢され、タイミングベルト抜け防止レバー２２の他端側がタイミングベルト固定レバー２１を押し下げるように回動するため、タイミングベルト抜け防止レバー２２がタイミングベルト固定レバー２１に係合している状態においては、タイミングベルト抜け防止レバー２２は常に図１９に図示する矢印Ｎの指示する方向に押し下げられることになる。これにより、用具本体２０のタイミングベルト固定レバー係合部４２との係合が解除されることはない。
したがって、タイミングベルト１０が用具本体２０から離脱しなくなる。
【０１０９】
最後に、タイミングベルト１０の端末部と、タイミングベルト連結用具７１との接続固定を解除する作業の手順と、各部の動作について説明する。
まず、図２０に図示するように、タイミングベルト１０を引出方向（図２０においては、矢印Ｐの指示する方向）に牽引し、タイミングベルト固定レバー２１とタイミングベルト抜け防止レバー２２との係合を解除する。
そして、作業者が、指先又は工具（例えば、マイナスドライバー）を、図２０に図示するタイミングベルト抜け防止レバー２２の係合解除部５５に引っ掛けて、図２１に図示するように、タイミングベルト抜け防止レバー２２を押し上げる。
【０１１０】
しかる後、図２１において、タイミングベルト１０を挿入方向に押し込むことでタイミングベルト固定レバー２１の回動軸４６をガイド長孔４４に沿ってタイミングベルト１０の挿入方向に移動させ、タイミングベルト固定レバー２１の係合突起５１と、用具本体２０のタイミングベルト固定レバー係合部４２との係合を解除する。すると、第１付勢部材７２の付勢により、タイミングベルト固定レバー２１の他端側がタイミングベルト１０を固定する位置からタイミングベルト１０の固定を解除する位置に向かって回動する。
以上により、タイミングベルト１０の端末部と、タイミングベルト連結用具７１との接続固定を解除する作業が完了する。
【０１１１】
以上、図１５−図２１を参照しながら説明してきたように、本発明によれば、実施例１と同様の効果を奏する。
【実施例３】
【０１１２】
本発明に係るタイミングベルト連結用具、及び、自動ドア装置は、実施例１，２の他、下記の実施例３を用いてもよいものとする。
以下、図２２を参照しながら実施例３を説明する。
図２２はタイミングベルト連結用具の実施例３を示す図であって、タイミングベルト抜け防止レバーをタイミングベルト固定レバーに係合した状態を示す図である。
図２２において、実施例１と同一の構成部材には、同一の符号を付して詳細な説明を省略する。
なお、図中の矢印は、前後、上下の各方向を示している（矢印の各方向は一例であるものとする）。
【０１１３】
図２２において、引用符号７３は、本発明のタイミングベルト連結用具の実施例３を示している。
本実施例におけるタイミングベルト連結用具７３は、図２２に図示する第２付勢部材７４の構成以外は、実施例２と同じ構成及び構造を備えている。したがって、本実施例では、第２付勢部材７４の構成及び構造について説明し、他の構成及び構造の詳細な説明は省略する。
【０１１４】
本実施例における第２付勢部材７４は、図２２に図示するように、第１付勢部材７２とほぼ同一の形状を有している。第２付勢部材７４は、所定の板厚を有する金属板からなり、図２２に図示するように、略Ｖ字形に形成された板バネであるものとする（形状は一例であるものとする。その他の形状については、実施例４−６において説明する）。
第２付勢部材７４の弾力は、板バネの板厚を変更することにより調整するものとする。
第２付勢部材７４は、本実施例の構成及び構造に限定されるものではなく、他の弾性を有する部材であってもよいものとする（他の具体例としては、実施例４−６を参照）。
【０１１５】
以上、図２２を参照しながら説明してきたように、本発明によれば、実施例１，２と同様の効果を奏する。
【実施例４】
【０１１６】
本発明に係るタイミングベルト連結用具、及び、自動ドア装置は、実施例１−３の他、下記の実施例４を用いてもよいものとする。
以下、図２３及び図２４を参照しながら実施例４を説明する。
図２３はタイミングベルト連結用具の実施例４を示す図であって、タイミングベルト抜け防止レバーをタイミングベルト固定レバーに係合した状態を示す図、図２４は実施例４における第１付勢部材及び第２付勢部材を示す図であって、（ａ）は第１付勢部材及び第２付勢部材の斜視図、（ｂ）は第１付勢部材及び第２付勢部材の側面図である。
図２３において、実施例１と同一の構成部材には、同一の符号を付して詳細な説明を省略する。
なお、図中の矢印は、前後、上下の各方向を示している（矢印の各方向は一例であるものとする）。
【０１１７】
図２３において、引用符号７５は、本発明のタイミングベルト連結用具の実施例４を示している。
本実施例におけるタイミングベルト連結用具７５は、図２３及び図２４に図示する第１付勢部材７６及び第２付勢部材７７以外は、実施例１と同じ構成及び構造を備えている。
したがって、本実施例では、第１付勢部材７６及び第２付勢部材７７の構成及び構造について説明し、他の構成及び構造の詳細な説明は省略する。
【０１１８】
本実施例における第１付勢部材７６は、弾性を有する合成樹脂材料からなり、図２３及び図２４に図示するように、略Ｕ字形に形成された板バネであるものとする（形状は一例であるものとする。その他の形状については、実施例５，６において説明する）。
第１付勢部材７６の弾力は、この第１付勢部材７６の板厚を変更することにより調整するものとする。
【０１１９】
第１付勢部材７６は、図２３及び図２４に図示するように、屈曲部７８と、第１アーム片７９と、第２アーム片８０とを備えて構成されている。
屈曲部７８は、図２３及び図２４に図示するように、略Ｕ字形に屈曲形成されている。
第１アーム片７９は、タイミングベルト固定レバー２１のタイミングベルト当接部４９に接触する部分として設けられている。第１アーム片７９は、図２３及び図２４に図示するように、屈曲部７８の一端に連続して設けられ、直線状に延びるように形成されている。第１アーム片７９は、押圧されると図２４（ｂ）において仮想線で図示するように弾性変形するようになっている。
第２アーム片８０は、図２３に図示するタイミングベルト端末部収容室３７の最奥部に形成された内壁６１に接触する部分として設けられている。第２アーム片８０は、図２３及び図２４に図示するように、屈曲部７８の一端とは反対側の他端に連続して設けられ、直線状に延びるように形成されている。
【０１２０】
本実施例における第２付勢部材７７は、図２３に図示するように、第１付勢部材７６とほぼ同一の形状を有している。
したがって、本実施例では、第１付勢部材７６の説明に用いた図２４を用いて第２付勢部材７７を説明するものとする。
第２付勢部材７７は、第１付勢部材７６と同様の構成及び構造を備えているため、詳細な説明は省略するが、図２３及び図２４に図示するように、屈曲部８１と、第１アーム片８２と、第２アーム片８３とを備えて構成されている。
【０１２１】
屈曲部８１は、図２３及び図２４に図示するように、略Ｕ字形に屈曲形成されている。
第１アーム片８２は、タイミングベルト抜け防止レバー２２の付勢部５３に接触する部分として設けられている。第１アーム片８２は、図２３及び図２４に図示するように、屈曲部８１の一端に連続して設けられ、直線状に延びるように形成されている。第１アーム片８２は、押圧されると図２４（ｂ）において仮想線で図示するように弾性変形するようになっている。
第２アーム片８３は、図２３に図示するように、第２付勢部材載置部３５に接触する部分として設けられている。第２アーム片８３は、図２３及び図２４に図示するように、屈曲部８１の一端とは反対側の他端に連続して設けられ、直線状に延びるように形成されている。
【０１２２】
以上、図２３及び図２４を参照しながら説明してきたように、本発明によれば、実施例１−３と同様の効果を奏する。
【実施例５】
【０１２３】
本発明に係るタイミングベルト連結用具、及び、自動ドア装置は、実施例１−４の他、下記の実施例５を用いてもよいものとする。
以下、図２５及び図２６を参照しながら実施例５を説明する。
図２５はタイミングベルト連結用具の実施例５を示す図であって、タイミングベルト抜け防止レバーをタイミングベルト固定レバーに係合した状態を示す図、図２６は実施例５における第１付勢部材及び第２付勢部材を示す図であって、（ａ）は第１付勢部材及び第２付勢部材の斜視図、（ｂ）は第１付勢部材及び第２付勢部材の側面図である。
図２５において、実施例１と同一の構成部材には、同一の符号を付して詳細な説明を省略する。
なお、図中の矢印は、前後、上下、左右の各方向を示している（矢印の各方向は一例であるものとする）。
【０１２４】
図２５において、引用符号８５は、本発明のタイミングベルト連結用具の実施例５を示している。
本実施例におけるタイミングベルト連結用具８５は、図２５及び図２６に図示する第１付勢部材８６及び第２付勢部材８７以外は、実施例４と同じ構成及び構造を備えている。
したがって、本実施例では、第１付勢部材８６及び第２付勢部材８７の構成及び構造について説明し、他の構成及び構造の詳細な説明は省略する。
【０１２５】
本実施例における第１付勢部材８６は、所定の板厚を有する金属板からなり、図２６に図示するような形状に形成された板バネであるものとする（形状は一例であるものとする。その他の形状については、実施例６において説明する）。
第１付勢部材８６の弾力は、金属板の板厚を変更することにより調整するものとする。
【０１２６】
第１付勢部材８６は、図２５及び図２６に図示するように、基部８８と、アーム片８９とを備えて構成されている。
基部８８は、図２５に図示するように、内壁６１に接触する部分として設けられている。基部８８は、図２５及び図２６に図示するように、矩形の板状に形成されている。
アーム片８９は、タイミングベルト固定レバー２１のタイミングベルト当接部４９に接触する部分として設けられている。アーム片８９は、図２６に図示するように、基部８８の中間部に連続して設けられている。アーム片８９は、図２６に図示するように、基部８８の中間部から一端側（図２６においては、左端側）に傾斜して起ち上がるように形成されている。アーム片８９の先端側は、接触部８９ａとして形成されている。接触部８９ａは、アーム片８９の先端側を屈曲してなり、基部８８と略平行となるように形成されている。アーム片８９は、押圧されると図２６（ｂ）において仮想線で図示するように弾性変形するように形成されている。
【０１２７】
本実施例における第２付勢部材８７は、図２６に図示するように、第１付勢部材８６とほぼ同一の形状を有している。
したがって、本実施例では、第２付勢部材８７については、第１付勢部材８６の説明に用いた図２６を用いて説明するものとする。
第２付勢部材８７は、第１付勢部材８６と同様の構成及び構造を備えているため、詳細な説明は省略するが、図２５及び図２６に図示するように、基部９０と、アーム片９１とを備えて構成されている。
【０１２８】
基部９０は、図２５に図示するように、第２付勢部材載置部３５に接触する部分として設けられている。基部９０は、図２６に図示するように、矩形の板状に形成されている。
アーム片９１は、図２５に図示するように、タイミングベルト抜け防止レバー２２の付勢部５３に接触する部分として設けられている。アーム片９１は、図２６に図示するように、基部９０の中間部に連続して設けられている。アーム片９１は、図２６に図示するように、基部９０の中間部から一端側（図２６においては、左端側）に傾斜して起ち上がるように形成されている。アーム片９１の先端側は、接触部９１ａとして形成されている。接触部９１ａは、アーム片９１の先端側を屈曲してなり、基部９０と略平行となるように形成されている。アーム片９１は、押圧されると図２６（ｂ）において仮想線で図示するように弾性変形するように形成されている。
【０１２９】
以上、図２５及び図２６を参照しながら説明してきたように、本発明によれば、実施例１−４と同様の効果を奏する。
【実施例６】
【０１３０】
本発明に係るタイミングベルト連結用具、及び、自動ドア装置は、実施例１−５の他、下記の実施例６を用いてもよいものとする。
以下、図２７及び図２８を参照しながら実施例６を説明する。
図２７はタイミングベルト連結用具の実施例６を示す図であって、タイミングベルト抜け防止レバーをタイミングベルト固定レバーに係合した状態を示す図、図２８は実施例６における第１付勢部材を示す図であって、（ａ）は第１付勢部材の斜視図、（ｂ）は第１付勢部材の側面図である。
図２７において、実施例１と同一の構成部材には、同一の符号を付して詳細な説明を省略する。
なお、図中の矢印は、前後、上下、左右の各方向を示している（矢印の各方向は一例であるものとする）。
【０１３１】
図２７において、引用符号９２は、本発明のタイミングベルト連結用具の実施例６を示している。
本実施例におけるタイミングベルト連結用具９２は、図２７及び図２８に図示する第１付勢部材９３以外は、実施例５と同じ構成及び構造を備えている。
したがって、本実施例では、第１付勢部材９３の構成及び構造について説明し、他の構成及び構造の詳細な説明は省略する。
【０１３２】
本実施例における第１付勢部材９３は、所定の板厚を有する金属板からなり、図２８に図示するような形状に形成された板バネであるものとする（形状は一例であるものとする）。第１付勢部材９３の弾力は、金属板の板厚を変更することにより調整するものとする。
【０１３３】
第１付勢部材９３は、図２７及び図２８に図示するように、基部９４と、第１アーム片９５と、第２アーム片９６とを備えて構成されている。
基部９４は、図２７に図示するように、内壁６１に接触する部分として設けられている。基部９４は、図２７及び図２８に図示するように、矩形の板状に形成されている。
【０１３４】
第１アーム片９５は、図２８に図示するように、基部９４に連続して設けられている。第１アーム片９４は、図２８に図示するように、基部９４の前端側において図２８における左右方向の左端側から右端側に傾斜して起ち上がるように形成されている。
第１アーム片９５の先端側は、図２８に図示するように、第１接触部９５ａとして形成されている。第１接触部９５ａは、図２７に図示するように、タイミングベルト固定レバー２１のタイミングベルト当接部４９に接触する部分として設けられている。第１接触部９５ａは、図２８に図示するように、第１アーム片９５の先端側を屈曲してなり、基部９４と略平行となるように形成されている。
第１アーム片９５は、押圧されると図２８（ｂ）において仮想線で図示するように弾性変形するように形成されている。第１アーム片９５は、この可動範囲が、図２８（ｂ）に図示するように、後述する第２アーム片９６の可動範囲よりも大きくなるように設定されている。
【０１３５】
第２アーム片９６は、図２８に図示するように、基部９４に連続して設けられている。第２アーム片９６は、図２８に図示するように、基部９４の後端側において図２８における左右方向の右端側から左端側に傾斜して起ち上がるように形成されている。
第２アーム片９６の先端側は、図２８に図示するように、第２接触部９６ａとして形成されている。第２接触部９６ａは、図２７に図示するタイミングベルト固定レバー２１の他端側がタイミングベルト１０を固定する位置の近傍まで回動したときに、タイミングベルト固定レバー２１の後端に接触しタイミングベルト固定レバー２１の他端側がタイミングベルト１０を固定する位置に向かって回動するように付勢する部分として設けられている。第２接触部９６ａは、図２８に図示するように、第２アーム片９６の先端側を屈曲してなり、基部９４と略平行となるように形成されている。
第２アーム片９６は、押圧されると図２８（ｂ）において仮想線で図示するように弾性変形するように形成されている。第２アーム片９６は、この可動範囲が、図２８（ｂ）に図示するように、第１アーム片９５の可動範囲よりも小さくなるように設定されている。
【０１３６】
以上、図２７及び図２８を参照しながら説明してきたように、本発明によれば、実施例１−５と同様の効果を奏する他、タイミングベルト固定レバー２１の他端側がタイミングベルト１０を固定する位置の近傍まで回動すると、第１付勢部材９３の第２アーム片９６がタイミングベルト固定レバー２１の一端側を付勢することにより、タイミングベルト固定レバー２１の他端側がタイミングベルト１０を固定する位置に向かって回動する。このため、タイミングベルト固定レバー２１の操作をスムーズに行うことができる。また、タイミングベルト固定レバー２１の他端側がタイミングベルト１０を固定する位置まで回動した後は、第１付勢部材９３の第２アーム片９６がタイミングベルト固定レバー２１の一端を付勢するため、タイミングベルト固定レバー２１がタイミングベルト１０を固定した状態を確実に保持することができる。
したがって、タイミングベルト１０の端末の接続固定に係る作業性を、より向上させつつ、タイミングベルト１０が押し込まれた場合であってもタイミングベルト１０の接続固定が解除するのを確実に防止することができるという効果を奏する。
【０１３７】
この他、本発明は本発明の主旨を変えない範囲で種々変更実施可能なことは勿論である。
【０１３８】
上記実施例１，２の説明では、第２付勢部材２４として、コイルスプリングを用いたが、これに限らず、実施例３における第２付勢部材７４、実施例４における第２付勢部材７７、又は、実施例５における第２付勢部材８７を用いてもよいものとする。
【０１３９】
以上、説明したように、本発明に係るタイミングベルト連結用具は、軸方向の一端側に開口しタイミングベルトの端末部に挿脱するタイミングベルト挿脱口と、前記軸方向と直交するように開口する回動レバー出入口と、を有する回動レバー収容室が形成され、該回動レバー収容室内に回動レバー係合部（タイミングベルト固定レバー係合部）を設けた用具本体と，
前記用具本体の軸方向へ遊動自在で前記回動レバー出入口より前記回動レバー収容室内に出入自在となるように前記用具本体に回動可能に支持されるものであって、前記タイミングベルト挿脱口からみた奥側の端部に形成されたタイミングベルト当接部と、前記タイミングベルトの歯部と係合可能に形成された抜け止め溝と、前記回動レバー係合部（タイミングベルト固定レバー係合部）と係合可能に形成された係留部（係合突起）と、を設けた第１回動レバー（タイミングベルト固定レバー）と,
前記回動レバー収容室内に配設され、前記第１回動レバー（タイミングベルト固定レバー）を前記回動レバー出入口から外側へ押し出すように回動させる第１押圧部材（第１付勢部材）と，
前記回動レバー出入口より前記回動レバー収容室内に出入自在となるように前記用具本体に支持されるものであって、この回動軸を挟んで一端側に押圧部（付勢部）を設けるとともに他端側に前記第１回動レバー（タイミングベルト固定レバー）の第１係合部（被係合部）に係合可能に形成された第２係合部（係合部）を設けた第２回動レバー（タイミングベルト抜け防止レバー）と，
前記回動レバー収容室内に配設され、前記第２回動レバー（タイミングベルト抜け防止レバー）の押圧部（付勢部）を押圧することによって、該第２回動レバー（タイミングベルト抜け防止レバー）を前記回動レバー出入口から前記回動レバー収容室内へ収容するように回動させる第２押圧部材（第２付勢部材）と,
を備えてなり、
前記第１回動レバー（タイミングベルト固定レバー）を前記回動レバー収容室内へ収容し該第１回動レバー（タイミングベルト固定レバー）の抜け止め溝を前記タイミングベルトの歯部に嵌合させ、該タイミングベルトを前記用具本体の軸方向に引っ張ると、前記第１回動レバー（タイミングベルト固定レバー）の係留部（係合突起）が前記用具本体の回動レバー係合部（タイミングベルト固定レバー係合部）に係合するとともに、前記第１回動レバー（タイミングベルト固定レバー）の第１係合部（被係合部）に前記第２回動レバー（タイミングベルト抜け防止レバー）の第２係合部（係合部）に係合するように構成することにより、タイミングベルトの端末の接続固定に係る作業性を良好にしつつ、タイミングベルトが押し込まれた場合であってもタイミングベルトの接続固定が解除するのを防止することができる。
【符号の説明】
【０１４０】
１…自動ドア装置、  ２…自動ドア装置ベース、  ３…駆動ユニット、  ４…ドア、  ５…モーター、  ６…減速機、  ７…シャフト、  ８…プーリー（主動プーリー）、  ９…アイドラープーリー（従動プーリー）、  １０…タイミングベルト（歯付きベルト）、  １１，７１，７３，７５，８５，９２…タイミングベルト連結用具、  １２…取り付け金具、  １３…吊り金具、  １４…タイミングベルト連結用具組み付け溝、  １５…吊り金具本体、  １６…ハンガーローラ、  １７，１８…ボルト、  １９…ナット、  ２０…用具本体、  ２１…タイミングベルト固定レバー、  ２２…タイミングベルト抜け防止レバー、  ２３，７２，７６，８６，９３…第１付勢部材、  ２４，７４，７７，８７…第２付勢部材、  ２５…回動防止用ビス（回動防止手段）、  ２６…用具本体固定用ビス、  ２７…用具本体固定用ビス挿通孔、  ２８…半割本体、  ２９…上壁、  ３０…底壁、  ３１…前壁、  ３２…後壁、  ３３…側壁、  ３４…レバー出入口、  ３５…第２付勢部材載置部、  ３６…板状部、  ３７…タイミングベルト端末部収容室、  ３８…ボルト収容室、  ３９…タイミングベルト載置面、  ４０…回動防止用ビス螺合孔、  ４１…タイミングベルト挿脱口、  ４２…タイミングベルト固定レバー係合部、  ４３…ボルト挿通孔、  ４４…ガイド長孔、  ４５…ガイド孔、  ４６，４７…回動軸、  ４８…ナット装着部、  ４９…タイミングベルト当接部、  ５０…抜け止め溝、  ５１…係合突起、  ５２…被係合部、  ５３…付勢部、  ５４…係合部、  ５５…係合解除部、  ５６…凹部、  ５７…リング部、  ５８…第１脚部、  ５９…第２脚部、  ６０…歯部、  ６１…内壁、  ７８，８１…屈曲部、  ７９，８２，９５…第１アーム片、  ８０，８３，９６…第２アーム片、  ８８，９０，９４…基部、  ８９，９１…アーム片、  ８９ａ，９１ａ…接触部、  ９５ａ…第１接触部、  ９６ａ…第２接触部
【図１】
0006030177.tif 000002
【図２】
0006030177.tif 000003
【図３】
0006030177.tif 000004
【図４】
0006030177.tif 000005
【図５】
0006030177.tif 000006
【図６】
0006030177.tif 000007
【図７】
0006030177.tif 000008
【図８】
0006030177.tif 000009
【図９】
0006030177.tif 000010
【図１０】
0006030177.tif 000011
【図１１】
0006030177.tif 000012
【図１２】
0006030177.tif 000013
【図１３】
0006030177.tif 000014
【図１４】
0006030177.tif 000015
【図１５】
0006030177.tif 000016
【図１６】
0006030177.tif 000017
【図１７】
0006030177.tif 000018
【図１８】
0006030177.tif 000019
【図１９】
0006030177.tif 000020
【図２０】
0006030177.tif 000021
【図２１】
0006030177.tif 000022
【図２２】
0006030177.tif 000023
【図２３】
0006030177.tif 000024
【図２４】
0006030177.tif 000025
【図２５】
0006030177.tif 000026
【図２６】
0006030177.tif 000027
【図２７】
0006030177.tif 000028
【図２８】
0006030177.tif 000029
【図２９】
0006030177.tif 000030
【図３０】
0006030177.tif 000031